(57)【要約】【課題】電子広告出力装置が出力した広告に対する顧客の行動を捕捉し得る広告配信システム及び方法を提供すること。【解決手段】広告配信システム（１）は、通信ネットワーク（５０）を介して接続可能な広告配信装置（１０）及び電子広告出力装置（２０）を含み、電子広告出力装置は、広告を出力し、携帯端末（３０）をかざすことにより端末識別情報を取得すると共に広告配信装置のアドレス情報を携帯端末に送信し、端末識別情報を、ログ情報に関連付けて広告配信装置に送信し、広告配信装置は、端末識別情報及びログ情報を受信し、さらに携帯端末から端末識別情報を伴ってページ要求情報を受信したことに応じて、ログ情報に基づいて、携帯端末をかざした際に電子広告出力装置が出力していた広告に対応するコンテンツを抽出して、コンテンツを出力可能なページ情報を構成し、端末識別情報を送信した携帯端末にページ情報を送信する。【選択図】図２
2013118017.tif 000002
【特許請求の範囲】
【請求項１】
通信ネットワークを介して接続可能な広告配信装置及び電子広告出力装置を含むシステムであって、
前記電子広告出力装置は、広告を出力する広告出力手段と、
端末識別情報を記憶した携帯端末をかざすことにより前記端末識別情報を取得すると共に前記広告配信装置の前記通信ネットワーク上のアドレス情報を前記携帯端末に送信する手段と、
取得した前記端末識別情報を、前記携帯端末をかざした際に前記広告出力手段が出力していた広告の記録を示すログ情報に関連付けて前記通信ネットワークを介して前記広告配信装置に送信する手段と、を備え、
前記広告配信装置は、前記電子広告出力装置から送信された前記端末識別情報及び前記ログ情報を受信し、さらに前記携帯端末から前記端末識別情報を伴ってページ要求情報を受信したことに応じて、前記ログ情報に基づいて、前記携帯端末をかざした際に前記電子広告出力装置が出力していた広告に対応するコンテンツを抽出して、前記コンテンツを出力可能なページ情報を構成し、前記端末識別情報を送信した携帯端末に前記ページ情報を送信する広告配信手段を備える広告配信システム。
【請求項２】
前記広告配信手段は、受信した前記ログ情報に基づいて、前記携帯端末をかざした前記電子広告出力装置が出力していたその他の広告に対応するコンテンツをさらに出力可能なページ情報を構成する請求項１に記載の広告配信システム。
【請求項３】
前記広告配信手段は、前記ログ情報に基づいて、前記携帯端末をかざした際に前記電子広告出力装置が出力していた広告に対応するコンテンツ又は前記その他の広告に対応するコンテンツへのリンクを示すリンク情報を含むページ情報を構成する請求項２に記載の広告配信システム。
【請求項４】
前記広告配信装置は、前記電子広告出力装置の属性情報を記憶する手段と、
前記電子広告出力装置の広告出力予定に関する情報を記憶する手段と、
広告入札希望者の端末から、前記通信ネットワークを介して、前記属性情報を指定する情報を伴って広告の入札希望に関する情報を受信したことに応じて、前記属性情報に基づいて前記広告出力予定を検索し、入札可能な広告枠に関する情報を、前記広告入札希望者の端末に送信する手段と、をさらに備える請求項１から請求項３のいずれかに記載の広告配信システム。
【請求項５】
前記広告配信装置は、前記電子広告出力装置から前記端末識別情報及び前記ログ情報を受信したことに応じて、前記端末識別情報及び前記ログ情報を当該電子広告出力装置に関連付けて前記属性情報として記憶する手段をさらに含む請求項４に記載の広告配信システム。
【請求項６】
前記広告配信装置は、前記携帯端末が表示した前記リンク情報を含むページにおいて、ユーザが前記リンク情報を選択したことを示す情報を受信したことに応じて、前記リンク情報を、前記ユーザを識別するユーザ識別情報及び前記端末識別情報に関連付けてユーザ属性情報として記憶する手段をさらに備え、
前記広告配信手段は、受信した前記端末識別情報に基づいて前記ユーザ属性情報を参照し、前記ユーザ識別情報に関連付けて記憶した前記リンク情報に基づいて前記ページ情報に含めるリンク情報を変更する請求項３に記載の広告配信システム。
【請求項７】
前記広告配信装置は、前記電子広告出力装置の広告の出力が停止した場合に、その旨を示す情報記憶する手段をさらに備える請求項１から請求項３のいずれかに記載の広告配信システム。
【請求項８】
前記電子広告出力装置は、前記通信ネットワークを介して、出力予定の前記広告に関する情報を予め受信して記憶する手段をさらに備える請求項１から請求項７のいずれかに記載の広告配信システム。
【請求項９】
前記広告配信装置は、前記通信ネットワークの通信効率が低い電子広告出力装置を優先して前記広告に関する情報を送信する請求項１から請求項８のいずれかに記載の広告配信システム。
【請求項１０】
通信ネットワークを介して接続可能な広告配信装置及び電子広告出力装置を含むシステムに実行させる広告配信方法であって、
前記電子広告出力装置に、広告を出力する広告出力ステップと、
端末識別情報を記憶した携帯端末をかざすことにより前記端末識別情報を取得すると共に前記広告配信装置の前記通信ネットワーク上のアドレス情報を前記携帯端末に送信するステップと、
取得した前記端末識別情報を、前記携帯端末をかざした際に前記広告出力ステップにおいて出力していた広告の記録を示すログ情報に関連付けて前記通信ネットワークを介して前記広告配信装置に送信するステップと、を実行させ、
前記広告配信装置に、前記電子広告出力装置から送信された前記端末識別情報及び前記ログ情報を受信し、さらに前記携帯端末から前記端末識別情報を伴ってページ要求情報を受信したことに応じて、前記ログ情報に基づいて、前記携帯端末をかざした際に前記電子広告出力装置が出力していた広告に対応するコンテンツを抽出して、前記コンテンツを出力可能なページ情報を構成し、前記端末識別情報を送信した携帯端末に前記ページ情報を送信する広告配信ステップを実行させる広告配信方法。
【発明の詳細な説明】
【技術分野】
【０００１】
本発明は、電子広告出力装置を含む広告配信システム及び方法に関する。
【背景技術】
【０００２】
従来、店舗等において、製品・サービス等を顧客に対し広告する手段としては、電子ＰＯＰ（Ｐｏｉｎｔ  ｏｆ  Ｐｕｒｃｈａｓｅ）装置（デジタルサイネージ装置ともいう）等の電子広告出力装置が使用されてきた。特に近年は、ＬＣＤ等の薄型ディスプレイを用いるものが普及してきている。
【０００３】
こうした薄型ディスプレイを用いる電子広告出力装置は、駅前の案内板として使用したり、店舗内の入口付近やレジ付近、或いは商品陳列棚等に設置して広告を流し続けることにより、導入コストが低く、売り場スペースを占有せず、設置、移設が容易であり、商品の直近で消費者に対し訴求することが可能であり、販促効果は高い。
【０００４】
このような状況において、広告データをデジタル化し、メモリーカード等の可搬式記憶媒体に記憶させ、小型軽量化した表示装置に広告データ画像を表示させる電子ＰＯＰ装置が提案されている（特許文献１）。
【０００５】
当該公報記載の発明は、フラッシュメモリに広告データを保存したものを挿入した状態で使用し、敷設された人感センサー、音感センサーにより、視聴者が前記電子広告出力装置近傍を通過した場合に保存された広告を再生するというものである。
【先行技術文献】
【特許文献】
【０００６】
【特許文献１】特開２００１−１００６８３号公報
【発明の概要】
【発明が解決しようとする課題】
【０００７】
しかしながら、特許文献１に記載された電子ＰＯＰ装置は、顧客からのアクションを受け付けることができないため、広告を流す一方で、当該広告を視聴した顧客が興味を示したか否かを確認することができず、当該広告が購買行動にどれだけ繋がったのかを把握することができない。
【０００８】
そこで、本発明は、電子広告出力装置が出力した広告に対する顧客の行動を捕捉し得る広告配信システム及び方法を提供することを目的とする。
【課題を解決するための手段】
【０００９】
具体的には、本発明は次のようなものを提供する。
（１）通信ネットワーク（例えば、インターネット）を介して接続可能な広告配信装置（例えば、ＣＭＳ）及び電子広告出力装置（例えば、ディスプレイ、セット・トップ・ボックス、端末情報読み書き手段）を含むシステムであって、
前記電子広告出力装置は、広告を出力する広告出力手段（例えば、ディスプレイ、スピーカ）と、
端末識別情報（例えば、端末ＩＤ）を記憶した携帯端末（例えば、携帯電話）をかざすことにより前記端末識別情報を取得すると共に前記広告配信装置の前記通信ネットワーク上のアドレス情報（例えば、ＵＲＬ）を前記携帯端末に送信する手段（例えば、端末情報読み書き手段）と、
取得した前記端末識別情報を、前記携帯端末をかざした際に前記広告出力手段が出力していた広告の記録を示すログ情報（例えば、出力していた広告ＩＤ、時刻情報）に関連付けて前記通信ネットワークを介して前記広告配信装置に送信する手段（例えば、イーサネット（登録商標）アダプタ、無線ＬＡＮアダプタ）と、を備え、
前記広告配信装置は、前記電子広告出力装置から送信された前記端末識別情報及び前記ログ情報を受信し、さらに前記携帯端末から前記端末識別情報を伴ってページ要求情報を受信したことに応じて、前記ログ情報に基づいて、前記携帯端末をかざした際に前記電子広告出力装置が出力していた広告に対応するコンテンツ（例えば、広告主のＨＰ）を抽出して、前記コンテンツを出力可能なページ情報（例えば、Ｗｅｂページ）を構成し、前記端末識別情報を送信した携帯端末に前記ページ情報を送信する広告配信手段（例えば、コンテンツ企業対応ＤＢ、イーサネット（登録商標）アダプタ）を備える広告配信システム。
【００１０】
本発明のこのような構成によれば、前記広告配信システムは、通信ネットワーク（例えば、インターネット）を介して接続可能な広告配信装置（例えば、ＣＭＳ）及び電子広告出力装置（例えば、ディスプレイ、セット・トップ・ボックス、端末情報読み書き手段）を含み、
前記電子広告出力装置は、広告を出力し、
端末識別情報（例えば、端末ＩＤ）を記憶した携帯端末（例えば、携帯電話）をかざすことにより前記端末識別情報を取得すると共に前記広告配信装置の前記通信ネットワーク上のアドレス情報（例えば、ＵＲＬ）を前記携帯端末に送信し、
取得した前記端末識別情報を、前記携帯端末をかざした際に前記広告出力手段が出力していた広告の記録を示すログ情報（例えば、出力していた広告ＩＤ、時刻情報）に関連付けて前記通信ネットワークを介して前記広告配信装置に送信し、
前記広告配信装置は、前記電子広告出力装置から送信された前記端末識別情報及び前記ログ情報を受信し、さらに前記携帯端末から前記端末識別情報を伴ってページ要求情報を受信したことに応じて、前記ログ情報に基づいて、前記携帯端末をかざした際に前記電子広告出力装置が出力していた広告に対応するコンテンツ（例えば、広告主のＨＰ）を抽出して、前記コンテンツを出力可能なページ情報（例えば、Ｗｅｂページ）を構成し、前記端末識別情報を送信した携帯端末に前記ページ情報を送信する。
【００１１】
このことにより、前記広告配信装置は、前記電子広告出力装置が送信したログ情報及び端末識別情報と、前記携帯端末が送信した端末識別情報に基づいて、前記携帯端末のユーザが、前記携帯端末を前記広告配信装置にかざした際に出力していた広告に対応するコンテンツを出力可能なページ情報を前記携帯端末に送信することができる。
【００１２】
その結果、前記携帯端末のユーザは、自分の携帯端末を前記広告出力装置にかざした際に視認していた広告に関するコンテンツをその携帯端末を介して取得することができる。
【００１３】
このように、本発明に係る広告配信システムは、前記端末識別情報及びログ情報に基づいて、電子広告出力装置が出力した広告に対する顧客の行動を捕捉することができる。
【００１４】
従って、本発明に係る広告配信システムは、広告を流す一方で、当該広告を視聴した顧客が興味を示したか否かを確認することが可能となり、当該広告が購買行動にどれだけ繋がったのかを把握することができる。
【００１５】
（２）  前記広告配信手段は、受信した前記ログ情報に基づいて、前記携帯端末をかざした前記電子広告出力装置が出力していたその他の広告に対応するコンテンツをさらに出力可能なページ情報を構成する（１）に記載の広告配信システム。
【００１６】
本発明のこのような構成によれば、前記広告配信手段は、受信した前記ログ情報に基づいて、前記携帯端末をかざした前記電子広告出力装置が出力していたその他の広告に対応するコンテンツをさらに出力可能なページ情報を構成する。
【００１７】
このことにより、前記広告配信システムは、その他の広告として、例えば、前記電子広告出力装置が順次出力しているその他の広告に対応するコンテンツをさらに前記携帯端末に送信することができる。
【００１８】
その結果、前記携帯端末のユーザは、自分の携帯端末をかざした電子広告出力装置が出力していたその他の広告に対応するコンテンツをその携帯端末でさらに取得することができる。
【００１９】
このようにして、前記広告配信システムは、例えば、小売店のおもちゃ売り場や、お菓子売り場等、顧客が携帯端末をかざした電子広告出力装置が設置されている売り場に関係する、当該顧客が興味を持つ可能性の高いその他のコンテンツをさらに配信することができる。
【００２０】
（３）  前記広告配信手段は、前記ログ情報に基づいて、前記携帯端末をかざした際に前記電子広告出力装置が出力していた広告に対応するコンテンツ又は前記その他の広告に対応するコンテンツへのリンクを示すリンク情報を含むページ情報を構成する（２）に記載の広告配信システム。
【００２１】
本発明のこのような構成によれば、前記広告配信手段は、前記ログ情報に基づいて、前記携帯端末をかざした際に前記電子広告出力装置が出力していた広告に対応するコンテンツ又は前記その他の広告に対応するコンテンツへのリンクを示すリンク情報を含むページ情報を構成する。
【００２２】
このことにより、前記広告配信手段は、これらの対応するコンテンツを直接前記携帯端末に送信するのではなく、これらのコンテンツへのリンク情報を含むページ情報を送信することができる。
【００２３】
その結果、前記広告配信システムは、前記ユーザが、前記携帯端末をかざした際に前記電子広告出力装置が出力していた広告に対応するコンテンツや、前記その他の広告に対応するコンテンツを閲覧する際に、前記リンク情報を含むページを経由することになるので、ユーザがのどコンテンツを閲覧したかを確実に捕捉することができる。
【００２４】
このようにして、前記広告配信システムは、より詳細にユーザの興味を研究する材料を得ることができる。
【００２５】
（４）  前記広告配信装置は、前記電子広告出力装置の属性情報（例えば、設置場所、タッチ数、クリック数）を記憶する手段（例えば、電子広告出力装置属性ＤＢ）と、
前記電子広告出力装置の広告出力予定に関する情報を記憶する手段（例えば、広告出力予定ＤＢ）と、
広告入札希望者の端末から、前記通信ネットワークを介して、前記属性情報を指定する情報を伴って広告の入札希望に関する情報を受信したことに応じて、前記属性情報に基づいて前記広告出力予定を検索し、入札可能な広告枠に関する情報を、前記広告入札希望者の端末に送信する手段と、をさらに備える（１）から（３）のいずれかに記載の広告配信システム。
【００２６】
本発明のこのような構成によれば、前記広告配信装置は、前記電子広告出力装置の属性情報（例えば、設置場所、タッチ数、クリック数）を記憶し、
前記電子広告出力装置の広告出力予定に関する情報を記憶し、
広告入札希望者の端末から、前記通信ネットワークを介して、前記属性情報を指定する情報を伴って広告の入札希望に関する情報を受信したことに応じて、前記属性情報に基づいて前記広告出力予定を検索し、入札可能な広告枠に関する情報を、前記広告入札希望者の端末に送信する。
【００２７】
このことにより、前記広告配信装置は、前記電子広告出力装置の属性情報を広告入札希望者の端末に提供した上で、前記広告入札希望者の端末から、当該属性情報を指定する情報を伴って広告の入札希望に関する情報を受信することができる。
【００２８】
その結果、前記広告入札希望者は、例えば、前記電子広告出力装置の設置場所等の属性情報を確認・検索等して、自らにとってより有効な広告配信先の電子広告出力装置を選択した上で、自らの広告を入札することができる。
【００２９】
より具体的には、小売店の店主が、「自らの店舗から半径２ｋｍ以内にある電子広告出力端末」といった検索をした上で、自らのタイムセールの広告を入札することができる。
【００３０】
（５）  前記広告配信装置は、前記電子広告出力装置から前記端末識別情報及び前記ログ情報を受信したことに応じて、前記端末識別情報及び前記ログ情報を当該電子広告出力装置に関連付けて前記属性情報として記憶する手段をさらに含む（４）に記載の広告配信システム。
【００３１】
本発明のこのような構成によれば、前記広告配信装置は、前記電子広告出力装置から前記端末識別情報及び前記ログ情報を受信したことに応じて、前記端末識別情報及び前記ログ情報を当該電子広告出力装置に関連付けて前記属性情報として記憶する
【００３２】
このことにより、前記広告配信システムは、前記携帯端末をかざした数や、対応するコンテンツへのリンクをクリックした数等の顧客の行動に関する情報を、前記電子広告出力装置に関連付けて、属性情報として記憶することができる。
【００３３】
その結果、前記広告入札希望者は、例えば、前記電子広告出力装置の設置場所、顧客が携帯端末をかざした数、さらに対応するコンテンツへのリンクをクリックした数等の属性情報を確認・検索等して、自らにとってより有効な広告配信先の電子広告出力装置を選択した上で、自らの広告を入札することができる。
【００３４】
より具体的には、小売店の店主が、例えば、携帯端末の所有者が会員登録している会員組織の会員ＤＢを参照することにより、「自らの店舗から半径２ｋｍ以内にある電子広告出力端末であって、食品関係の売り場に設置されていて、例えば、２０歳〜５０歳の顧客が一日平均２００件以上携帯端末をかざしているもの」といった検索をした上で、自らのタイムセールの広告を入札することができる。
【００３５】
（６）  前記広告配信装置は、前記携帯端末が表示した前記リンク情報を含むページにおいて、前記ユーザが前記リンク情報を選択したことを示す情報を受信したことに応じて、前記リンク情報を、前記ユーザを識別するユーザ識別情報及び前記端末識別情報に関連付けてユーザ属性情報として記憶する手段（例えば、ユーザ属性ＤＢ）をさらに備え、
前記広告配信手段は、受信した前記端末識別情報に基づいて前記ユーザ属性情報を参照し、前記ユーザ識別情報に関連付けて記憶した前記リンク情報に基づいて前記ページ情報に含めるリンク情報を変更する（５）に記載の広告配信システム。
【００３６】
本発明のこのような構成によれば、前記広告配信装置は、前記携帯端末が表示した前記リンク情報を含むページにおいて、前記ユーザが前記リンク情報を選択したことを示す情報を受信したことに応じて、前記リンク情報を、前記ユーザを識別するユーザ識別情報及び前記端末識別情報に関連付けてユーザ属性情報として記憶し、
前記広告配信手段は、受信した前記端末識別情報に基づいて前記ユーザ属性情報を参照し、前記ユーザ識別情報に関連付けて記憶した前記リンク情報に基づいて前記ページ情報に含めるリンク情報を変更する。
【００３７】
このことにより、前記ユーザのリンクの選択に係る情報を前記ユーザ属性情報として記憶し、記憶した当該ユーザ属性情報に基づいて、前記携帯端末に送信する前記ページ情報のリンク情報を変更することができる。
【００３８】
その結果、前記広告配信システムは、前記ユーザのリンクの選択に基づいてユーザの嗜好を類推し、適宜ユーザの嗜好に合致すると考えられるリンク情報を適宜選択して前記携帯端末に送信することができる。
【００３９】
このようにして、前記広告配信システムは、よりユーザの嗜好にカスタマイズされた内容を含むリンク情報を当該ユーザの携帯端末に送信することができる。
【００４０】
（７）  前記広告配信装置は、前記電子広告出力装置の広告の出力が停止した場合に、その旨を示す情報記憶する手段をさらに備える（１）から（３）のいずれかに記載の広告配信システム。
【００４１】
本発明のこのような構成によれば、前記広告配信装置は、前記電子広告出力装置の広告の出力が停止した場合に、その旨を示す情報記憶する。
【００４２】
このことにより、万一停電等により前記電子広告出力装置の広告配信が停止した場合に、その旨を示す情報を記憶することができる。
【００４３】
その結果、広告主にとって一番気になる自社広告が確実に配信されたか否かに関してクリティカルな情報をより確実に入手することができる。
【００４４】
このようにして、前記広告配信システムは、前記ログ情報に加え、万一の際に広告の配信が停止した旨の記録を広告主に提供することにより、広告主をより安心させることができる可能性がある。
【００４５】
（８）  前記電子広告出力装置は、前記通信ネットワークを介して、出力予定の前記広告に関する情報を予め受信して記憶する手段（例えば、半導体メモリ）をさらに備える（１）から（７）のいずれかに記載の広告配信システム。
【００４６】
本発明のこのような構成によれば、前記電子広告出力装置は、前記通信ネットワークを介して、出力予定の前記広告に関する情報を予め受信して記憶する。
【００４７】
このことにより、前記電子広告出力装置は、出力すべき広告に関する情報を、予め受信しておくことができる。
【００４８】
その結果、前記電子広告配信装置は、前記通信ネットワークに常時接続していなくとも、予め記憶した広告に関する情報に基づいて、広告の出力を継続することができる。
【００４９】
（９）  前記広告配信装置は、前記通信ネットワークの通信効率が低い電子広告出力装置を優先して前記広告に関する情報を送信する（１）から（８）のいずれかに記載の広告配信システム。
【００５０】
本発明のこのような構成によれば、前記広告配信装置は、前記通信ネットワークの通信効率が低い電子広告出力装置を優先して前記広告に関する情報を送信する。
【００５１】
このことにより、前記広告配信装置は、前記通信ネットワークの状況に応じて、広告に関する情報の配信が遅れがちな通信効率の低い電子広告出力装置を優先して前記広告に関する情報を送信することができる。
【００５２】
その結果、前記広告配信システムは、通信効率の低い電子広告出力装置に優先して広告に関する情報を配信して、広告に関する情報の配信完了のタイミングをより同期させることができる。
【００５３】
（１０）通信ネットワーク（例えば、インターネット）を介して接続可能な広告配信装置（例えば、ＣＭＳ）及び電子広告出力装置（例えば、ディスプレイ、セット・トップ・ボックス、端末情報読み書き手段）を含むシステムに実行させる広告配信方法であって、
前記電子広告出力装置に、広告を出力する広告出力ステップ（例えば、ディスプレイ、スピーカ）と、
端末識別情報（例えば、端末ＩＤ）を記憶した携帯端末（例えば、携帯電話）をかざすことにより前記端末識別情報を取得すると共に前記広告配信装置の前記通信ネットワーク上のアドレス情報（例えば、ＵＲＬ）を前記携帯端末に送信するステップ（例えば、端末情報読み書き手段）と、
取得した前記端末識別情報を、前記携帯端末をかざした際に前記広告出力手段が出力していた広告の記録を示すログ情報（例えば、出力していた広告ＩＤ、時刻情報）に関連付けて前記通信ネットワークを介して前記広告配信装置に送信するステップ（例えば、イーサネット（登録商標）アダプタ、無線ＬＡＮアダプタ）と、を実行させ、
前記広告配信装置に、前記電子広告出力装置から送信された前記端末識別情報及び前記ログ情報を受信し、さらに前記携帯端末から前記端末識別情報を伴ってページ要求情報を受信したことに応じて、前記ログ情報に基づいて、前記携帯端末をかざした際に前記電子広告出力装置が出力していた広告に対応するコンテンツ（例えば、広告主のＨＰ）を抽出して、前記コンテンツを出力可能なページ情報（例えば、Ｗｅｂページ）を構成し、前記端末識別情報を送信した携帯端末に前記ページ情報を送信する広告配信ステップ（例えば、コンテンツ企業対応ＤＢ、イーサネット（登録商標）アダプタ）を実行させる広告配信方法。
【００５４】
本発明のこのような構成によれば、（１）と同様の作用が期待できる。
【発明の効果】
【００５５】
本発明に係る広告配信システムによれば、前記携帯端末のユーザは、自分の携帯端末を前記電子広告出力装置にかざした際に視認していた広告に関するコンテンツをその携帯端末を介して取得することができる。このように、本発明に係る広告配信システムは、前記端末識別情報及びログ情報に基づいて、電子広告出力装置が出力した広告に対する顧客の行動を捕捉することができる。従って、本発明に係る広告配信システムは、広告を流す一方で、当該広告を視聴した顧客が興味を示したか否かを確認することが可能となり、当該広告が購買行動にどれだけ繋がったのかを把握することができる。
【図面の簡単な説明】
【００５６】
【図１】本発明の好適な実施形態の一例に係る広告配信システムのシステム構成を示す図。
【図２】本発明の好適な実施形態の一例に係る広告配信システムの機能構成を示すブロック図。
【図３】本発明の好適な実施形態の一例に係る広告配信システムにおけるコンテンツ（広告）配信処理１の流れを示すフローチャート。
【図４】本発明の好適な実施形態の一例に係る携帯端末におけるページ情報の表示例を示す説明図。
【図５】本発明の好適な実施形態の一例に係る広告配信装置のＵＲＬ、携帯端末の端末識別情報（端末ＩＤ）、電子広告出力装置の端末識別情報を示す図。
【図６】本発明の好適な実施形態の一例に係る電子広告出力装置におけるログ情報を示す図。
【図７】本発明の好適な実施形態の一例に係るコンテンツ企業対応ＤＢを示す図。
【図８】本発明の好適な実施形態の一例に係る広告配信システムにおけるコンテンツ（広告）配信処理２の流れを示すフローチャート。
【図９】本発明の好適な実施形態の一例に係る電子広告出力装置属性ＤＢを示す図。
【図１０】本発明の好適な実施形態の一例に係るユーザ属性ＤＢを示す図。
【図１１】本発明の好適な実施形態の一例に係る広告配信システムにおける電子広告入札処理の流れを示すフローチャート。
【図１２】本発明の好適な実施形態の一例に係る広告出力予定ＤＢを示す図。
【図１３】本発明の好適な実施形態の一例に係る広告配信装置、携帯端末、広告主（企業）サーバ及び入札希望端末のハードウェア構成図。
【図１４】本発明の好適な実施形態の一例に係る電子広告出力装置のハードウェア構成図。
【発明を実施するための形態】
【００５７】
以下、本発明の実施形態について図面を参照して説明する。
【００５８】
図１は、本発明の実施形態に係る広告配信システム１のシステムの全体構成の一例を示す図である。
【００５９】
広告配信システム１は、少なくとも、広告配信装置１０、電子広告出力装置２０、端末識別情報を含む携帯端末３０及び通信ネットワーク５０を含んで構成し、さらに、企業サーバ４０、広告入札希望者の端末６０及びを含んでよい。広告配信装置１０、電子広告出力装置２０、端末識別情報を含む携帯端末３０、企業サーバ４０及び広告入札希望者の端末６０は、通信ネットワーク５０を介して通信可能に接続されている。
【００６０】
広告配信装置１０は、通信ネットワーク５０を介して、電子広告出力装置２０、詳細は後述する端末識別情報を含む携帯端末３０及び詳細は後述する広告入札希望者の端末６０から受信した情報、データに応じて、各種処理を行う情報処理装置である。広告配信装置１０は、ＣＭＳ（Ｃｏｎｔｅｎｔ  Ｍａｎａｇｅｍｅｎｔ  Ｓｙｓｔｅｍ；以下、サーバ１１と記載する）、詳細は後述するコンテンツ企業対応ＤＢ１０３及び電子広告出力装置属性ＤＢ１０５を含んで構成してよい。
【００６１】
広告配信装置１０は、本発明に係る電子広告出力装置２０が出力する広告の配信をコントロールすると共に、端末識別情報を含む携帯端末３０に、コンテンツを配信する。
【００６２】
ここで、広告配信装置１０は、ＰＣサーバ等様々な汎用コンピュータで実現してよい。或いは、専用機器として構成してもよい。
【００６３】
電子広告出力装置２０は、ＳＴＢ（Ｓｅｔ  Ｔｏｐ  Ｂｏｘ）２１、表示装置２２、端末情報読み書き装置２３を含んで構成してよい。
【００６４】
電子広告出力装置２０は、ＳＴＢ２１、表示装置２２及び端末情報読み書き装置２３を含んで構成してよい。また、表示装置２２及びＳＴＢ２１を一体として構成してもよいし、さらに端末情報読み書き装置２３を一体として構成してもよい。その他の組み合わせも含め、様々な組み合わせで実現してよい。
【００６５】
電子広告出力装置２０は、広告配信装置１０から広告出力予定に従って配信された広告を出力すると共に、端末情報読み書き装置２３に後述する端末識別情報を含む携帯端末３０をかざすことにより、後述する端末識別情報を含む携帯端末３０の端末識別情報を受信して、広告配信装置１０に送信する。加えて、電子広告出力装置２０は、電子広告出力装置２０の端末情報読み書き装置２３に後述する端末識別情報を含む携帯端末３０をかざすことにより、広告配信装置１０のアドレス情報（ＵＲＬ）を後述する端末識別情報を含む携帯端末３０に送信する。
【００６６】
ここで、表示装置２２は、具体的には、例えば、ＬＣＤディスプレイ、プラズマディスプレイ、有機ＥＬディスプレイ、ＣＲＴ等、様々なディスプレイで実現してよい。
【００６７】
また、端末情報読み書き装置２３は、具体的には、例えばＩＣカードリーダ・ライタ、磁気カードリーダ・ライタ等を用いて構成してよい。
【００６８】
端末識別情報を含む携帯端末３０は、端末識別情報を含む携帯端末３０を上述した電子広告出力装置２０の端末情報読み書き装置２３にかざすことにより端末識別情報を含む携帯端末３０の端末識別情報を電子広告出力装置２０に送信可能に構成されている。また、端末識別情報を含む携帯端末３０は、端末識別情報を含む携帯端末３０を上述した電子広告出力装置２０の端末情報読み書き装置２３にかざすことにより広告配信装置１０のアドレス情報（ＵＲＬ）を受信可能に構成されている。
【００６９】
端末識別情報を含む携帯端末３０は、通信ネットワーク５０を介して広告配信装置１０及び企業サーバ４０と情報、データを通信可能に構成され、通信ネットワーク５０を介して広告配信装置１０及び企業サーバ４０より受信した情報、データを表示する装置である。
【００７０】
なお、端末識別情報を含む携帯端末３０は、具体的には、例えば、ＩＣカードを内蔵した携帯電話、ＰＤＡ等の携帯情報端末で実現してよい。
【００７１】
企業サーバ４０は、通信ネットワーク５０を介して広告配信装置１０から受信した情報、データに応じて、各種処理を行う情報処理装置である。
【００７２】
ここで、企業サーバ４０は、ＰＣサーバ等様々な汎用コンピュータで実現してよい。或いは、専用機器として構成してもよい。
【００７３】
広告入札希望者の端末６０は、通信ネットワーク５０を介して広告配信装置１０と情報、データを通信可能に構成され、通信ネットワーク５０を介して広告配信装置１０より受信した入札情報、データを表示して入札を行う装置である。
【００７４】
ここで、広告入札希望者の端末６０は、ＰＣ、ＰＤＡ，携帯電話等様々な汎用コンピュータで実現してよい。或いは、専用機器として構成してもよい。
【００７５】
ネットワーク５０は、インターネット、専用線等により構成してよい。また、有線によるもの、無線によるもの等、様々な接続方式を採り得る。
【００７６】
図２は、本発明の好適な実施形態の一例に係る広告配信システム１の機能構成を表すブロック図である。
【００７７】
広告配信装置１０は、広告配信手段１０１と、入札可能広告枠情報配信手段１０２と、詳しくは図７において後述する広告ＩＤ、対応するコンテンツＩＤ及びＵＲＬを関連付けて記憶するコンテンツ企業対応ＤＢ１０３と、詳しくは図１２において後述する日時及び広告ＩＤを関連付けて記憶する広告出力予定ＤＢ１０４と、詳しくは図９において後述する電子広告出力装置２０の識別情報（ＩＤ）、設置場所、かざした携帯端末３０の端末識別情報及び日時を関連付けて記憶する電子広告出力装置属性ＤＢ１０５と、ユーザ識別情報、端末識別情報、選択リンク及び日時を関連付けて記憶するユーザ属性ＤＢ１０６を含む。
【００７８】
広告配信手段１０１は、詳しくは後述する電子広告出力装置２０のログ情報端末識別情報送信手段２１１よりログ情報及び端末識別情報を受信する。さらに、広告配信手段１０１は、受信したログ情報及び端末識別情報を用いて、コンテンツ企業対応ＤＢ１０３、広告出力予定ＤＢ１０４及び電子広告出力装置属性ＤＢ１０５を検索する。そして、広告配信手段１０１は、検索した広告情報を後述する電子広告出力装置２０の広告出力手段２２１に送信する。
【００７９】
入札可能広告枠情報配信手段１０２は、後述する広告入札希望者の端末６０の入札希望情報送信手段６０１より入札希望情報を受信する。さらに、入札可能広告枠情報配信手段１０２は、受信した入札希望情報を用いて広告出力予定ＤＢ１０４、電子広告出力装置属性ＤＢ１０５及びユーザ属性ＤＢ１０６を検索する。そして、入札可能広告枠情報配信手段１０２は、検索した入札可能広告枠情報を、詳しくは後述する広告入札希望者の端末６０の入札可能広告枠情報出力手段６０２に送信する。
【００８０】
電子広告出力装置２０は、ログ情報端末識別情報送信手段２１１、広告出力手段２２１及び端末情報読み書き手段２３１を含む。ログ情報端末識別情報送信手段２１１は、詳しくは後述する広告出力手段２２１が出力した広告のログ情報と、詳しくは後述する端末情報読み書き手段２３１が読み込んだ端末情報とを上述の広告配信装置１０の広告配信手段１０１に送信する。
【００８１】
そのため、ログ情報端末識別情報送信手段２１１は、広告出力手段２２１が停止した時間を広告配信装置１０の広告配信手段１０１にログ情報として送信することができる。したがって、広告出力手段２２１が停止した時には広告配信装置１０は、広告出力の停止をログ情報として記録することができる。
【００８２】
広告出力手段２２１は、上述の広告配信装置１０の広告配信手段１０１より広告情報を受信して出力する。
【００８３】
端末情報読み書き手段２３１は、上述の端末情報読み書き装置２３により実現してよい。
【００８４】
端末情報読み書き手段２３１は、詳しくは後述する端末識別情報を含む携帯端末３０の端末識別情報送信手段３０１より端末識別情報を受信してログ情報端末識別情報送信手段２１１に送信する。さらに、端末情報読み書き手段２３１は広告配信装置のアドレス情報を、詳しくは後述する端末識別情報を含む携帯端末３０の広告配信装置アドレス情報受信手段３０２に送信する。
【００８５】
端末識別情報を含む携帯端末３０は、端末識別情報送信手段３０１、広告配信装置アドレス情報受信手段３０２、ページ要求手段３０３及び広告出力手段３０４を含む。端末識別情報送信手段３０１は、端末識別情報を含む携帯端末３０を上述の端末情報読み書き手段２３１にかざすことにより端末識別情報を上述の端末情報読み書き手段２３１に送信する。
【００８６】
広告配信装置アドレス情報受信手段３０２は、端末識別情報を含む携帯端末３０を上述の端末情報読み書き手段２３１にかざすことにより上述の広告配信装置１０のアドレス情報を上述の端末情報読み書き手段２３１より受信する。さらに、受信した広告配信装置１０のアドレス情報を後述するページ要求手段３０３に送信する。
【００８７】
ページ要求手段３０３は、上述の広告配信装置アドレス情報受信手段３０２より広告配信装置１０のアドレス情報を受信する。さらに、ページ要求手段３０３は、受信した広告配信装置１０のアドレス情報に基づき、上述の広告配信装置１０の広告配信手段１０１にページ要求情報を送信する。広告出力手段３０４は、上述の広告配信装置１０の広告配信手段１０１より広告情報を受信する。さらに、広告出力手段３０４は、受信した広告情報を出力する。
【００８８】
広告入札希望者の端末６０は、入札希望情報送信手段６０１及び入札可能広告枠情報出力手段６０２を含む。入札希望情報送信手段６０１は、上述の広告配信装置１０の入札可能広告枠情報配信手段１０２に入札希望情報を送信する。入札可能広告枠情報出力手段６０２は、上述の広告配信装置１０の入札可能広告枠情報配信手段１０２より入札可能広告枠情報を受信する。さらに、入札可能広告枠情報出力手段６０２は、受信した入札可能広告枠情報を出力する。
【００８９】
図３は、本発明の好適な実施形態の一例に係る広告配信システム１におけるコンテンツ（広告）配信処理１の流れを示すフローチャートである。
【００９０】
広告配信システム１は、端末識別情報を含む携帯端末３０の端末識別情報としてＡＡＡを有する端末識別情報を含む携帯端末３０（以下、携帯端末３０）、電子広告出力装置２０の端末識別情報としてＸＹＺを有する電子広告出力装置２０、広告配信装置１０の広告配信手段１０１のアドレスのＵＲＬとして、ｈｔｔｐ：／／ａｂｃ．ｈｔｍを有する広告配信装置１０を含む。ステップＳ３１１においては、携帯端末３０は、ユーザが携帯端末３０を電子広告出力装置２０にかざすことにより端末識別情報を電子広告出力装置に送信する。
【００９１】
ここで、図５を参照して上述の携帯端末３０の端末識別情報について説明する。図５は広告配信装置のＵＲＬ、携帯端末３０の端末識別情報（端末ＩＤ）、電子広告出力装置の識別情報を示す表である。ここで、携帯端末３０の端末識別情報（端末ＩＤ）はＡＡＡとなっている。そのため、携帯端末３０はＡＡＡという端末識別情報を送信する。
【００９２】
ステップＳ２１１においては、電子広告出力装置２０の端末情報読み書き手段２３１は、上述の携帯端末３０の端末識別情報送信手段３０１が送信したＡＡＡという端末識別情報を読み込む。さらに、電子広告出力装置２０の端末情報読み書き手段２３１は、広告配信装置１０のＵＲＬを携帯端末３０の広告配信装置アドレス情報受信手段３０２に送信する。
【００９３】
ここで、再び図５を参照して上述の広告配信装置１０のＵＲＬについて説明する。図５は広告配信装置のＵＲＬ、携帯端末３０の端末識別情報（端末ＩＤ）、電子広告出力装置２０の識別情報を示す表である。ここで、広告配信装置１０の広告配信手段１０１のＵＲＬはｈｔｔｐ：／／ａｂｃ．ｈｔｍとなっている。そのため、電子広告出力装置２０の端末情報読み書き手段２３１はｈｔｔｐ：／／ａｂｃ．ｈｔｍというＵＲＬを送信する。
【００９４】
ステップＳ３１２においては、携帯端末３０の広告配信装置アドレス情報受信手段３０２は、上述の電子広告出力装置２０の端末情報読み書き手段２３１の送信したｈｔｔｐ：／／ａｂｃ．ｈｔｍというＵＲＬを受信する。
【００９５】
一方、ステップＳ２１２においては、電子広告出力装置２０は、上述の携帯端末３０の端末識別情報送信手段３０１の送信したＡＡＡという携帯端末３０の端末識別情報及び電子広告出力装置２０の端末識別情報を広告配信装置１０の広告配信手段１０１に送信する。さらに、電子広告出力装置２０のログ情報端末識別情報送信手段２１１は、電子広告出力装置２０の広告出力手段２２１において出力中の広告を示すログ情報を広告配信装置１０の広告配信手段１０１に送信する。
【００９６】
図５を参照して上述の電子広告出力装置２０の端末識別情報について説明する。図５は広告配信装置１０の広告配信手段１０１のＵＲＬ、携帯端末３０の端末識別情報（端末ＩＤ）、電子広告出力装置２０の識別情報を示す表である。ここで、電子広告出力装置２０の識別情報はＸＹＺとなっている。そのため、電子広告出力装置２０はＸＹＺという端末識別情報を送信する。
【００９７】
図６を参照して上述の電子広告出力装置２０において出力中の広告を示すログ情報について説明する。図６はＸＹＺという端末識別情報を有する電子広告出力装置２０におけるログ情報を示す表である。
【００９８】
ログ情報は、電子広告出力装置２０の端末識別情報と、携帯端末３０を電子広告出力装置２０にかざしたときに電子広告出力装置２０の広告出力手段２２１において出力されていた広告に付されたそれぞれの広告の有する広告ＩＤ及び携帯端末３０を電子広告出力装置２０にかざしたときに電子広告出力装置２０の広告出力手段２２１において出力されていた広告の放映時間と、携帯端末３０を電子広告出力装置２０にかざしたときに電子広告出力装置２０の広告出力手段２２１において出力されていた広告の前後の時間に放映されていたその他の放映中の広告の広告ＩＤ及び電子広告出力装置２０にかざしたときに電子広告出力装置２０の広告出力手段２２１において出力されていた広告の前後の時間に放映されていたその他の放映中の広告の放映時間と、携帯端末３０を電子広告出力装置２０にかざした時刻と、を関連付ける情報である。
【００９９】
ここで、携帯端末３０を電子広告出力装置２０にかざした時に放映している広告ＩＤは、０１２３となっている。携帯端末３０を電子広告出力装置２０にかざした時に放映している広告の放映時間は、２００８年４月２０日の１２時１８分００秒から１２時２０分００秒までとなっている。また、携帯端末３０を電子広告出力装置２０にかざした時刻は、２００８年４月２０日の１２時１８分３０秒となっている。また、携帯端末３０を電子広告出力装置２０にかざした時に放映している広告の前後の時間に放映されていたその他の放映中の広告ＩＤは、０１２０，０１２１，０１２２及び０１２４となっている。携帯端末３０を電子広告出力装置２０にかざした時に放映している広告の前後の時間に放映されていたその他の放映中の広告の放映時間は、２００８年４月２０日の１２時１４分００秒から１２時１５分００秒、２００８年４月２０日の１２時１５分００秒から１２時１７分００秒、２００８年４月２０日の１２時１７分００秒から１２時１８分００秒、２００８年４月２０日の１２時２０分００秒から１２時２１分００秒となっている。そのため、電子広告出力装置２０は、上述の広告ＩＤ、広告ＩＤに関連付けられた放映時間及び携帯端末３０を電子広告出力装置２０にかざした時刻をログ情報として送信する。
【０１００】
ステップＳ１１１においては、広告配信装置１０の広告配信手段１０１は、上述の電子広告出力装置２０のログ情報端末識別情報送信手段２１１が送信したＡＡＡという携帯端末３０の端末識別情報及びＸＹＺという電子広告出力装置２０の端末識別情報を受信する。さらに、上述の電子広告出力装置２０のログ情報端末識別情報送信手段２１１が送信したログ情報を受信する。
【０１０１】
ステップＳ１１２においては、広告配信装置１０は、電子広告出力装置２０に関連付けて受信したログ情報及び受信した端末識別情報を電子広告出力装置の属性情報として記憶する。さらに、ユーザが携帯端末３０をかざした時刻やクリックして選択したリンク等の情報を含む、記憶したログ情報を、電子広告出力装置２０において表示している広告主の企業サーバ４０（図示せず）に送信してもよい。
【０１０２】
図９を参照して上述の電子広告出力装置２０の属性情報を記憶する電子広告出力装置属性ＤＢ１０５について説明する。図９は電子広告出力装置属性ＤＢ１０５においてしておく電子広告出力装置の識別情報（ＩＤ）に関連付けて記憶設置場所、携帯端末をかざした識別情報及び日時を示す表である。
【０１０３】
ここで、電子広告出力装置属性ＤＢ１０５は、電子広告出力装置の識別情報（ＩＤ）は、上述の電子広告出力装置２０の端末識別情報を示す。ステップＳ１１１において受信したＸＹＺという端末識別情報に該当するＸＹＺという電子広告出力装置の識別情報（ＩＤ）を記憶しておく。さらに、設置場所は、上述の電子広告出力装置２０の設置されている住所を示す。電子広告出力装置２０の設置されている住所である、東京都○○区△□店おもちゃ売場Ａという住所を関連付けて記憶しておく。携帯端末にかざした識別情報は、携帯端末３０の端末識別情報を示す。ステップＳ１１１において受信したＡＡＡ及び他の携帯端末３０の端末識別情報であるＢＢＢという携帯端末３０の端末識別情報を関連付けて記憶しておく。日時は携帯端末３０を電子広告出力装置２０にかざした時刻を示す。ステップＳ１１１において受信したログ情報に含まれる２００８年４月２０日の１２時１８分３０秒という時刻及び他のログ情報に含まれる２００８年４月２０日の１２時１８分３０秒という時刻を関連付けて記憶しておく。
【０１０４】
一方、ステップＳ３１３において、携帯端末３０は、上述のステップＳ３１２において受信した広告配信装置１０の広告配信手段１０１のＵＲＬであるｈｔｔｐ：／／ａｂｃ．ｈｔｍに従って、ページ要求信号を送信する。さらに、携帯端末３０は、携帯端末３０の端末識別情報ＡＡＡを上述の広告配信装置１０の広告配信手段１０１に送信する。
【０１０５】
ステップＳ１１３においては、広告配信装置１０は、ページ要求信号を受信する。さらに、広告配信装置１０は携帯端末３０の端末識別情報ＡＡＡを受信する。
【０１０６】
ステップＳ１１４においては、広告配信装置１０は、上述のステップＳ１１１において受信したログ情報に基づいて、上述の携帯端末３０を電子広告出力装置２０にかざした時に放映している広告ＩＤ０１２３に対応するコンテンツと、かざした時に放映している広告の前後の時間に放映されていたその他の放映中の広告ＩＤ０１２０，広告ＩＤ０１２１，広告ＩＤ０１２２及び広告ＩＤ０１２４に対応するコンテンツと、をコンテンツ企業対応ＤＢ１０３より抽出する。
【０１０７】
図７を参照して上述のコンテンツ企業対応ＤＢ１０３について説明する。図７はコンテンツ企業対応ＤＢ１０３において広告ＩＤに関連付けて記憶しておく対応するコンテンツＩＤ及びＵＲＬを示す表である。
【０１０８】
コンテンツ企業対応ＤＢ１０３は、上述の電子広告出力装置２０において出力する広告に付されたＩＤ番号である広告ＩＤを記憶しておく。さらに、コンテンツ企業対応ＤＢ１０３は、上述の電子広告出力装置２０において出力する広告に対応するコンテンツのＩＤ番号である対応するコンテンツＩＤを関連付けて記憶しておく。加えて、コンテンツ企業対応ＤＢ１０３は、コンテンツのリンクであるＵＲＬを関連付けて記憶しておく。
【０１０９】
ステップＳ１１４においては、さらに、広告配信装置１０は、抽出したコンテンツのリンクであるＵＲＬを含むページ情報を構成する。そして、広告配信装置１０は、構成したページ情報を携帯端末３０に送信する。
【０１１０】
ステップＳ３１４においては、携帯端末３０は、受信したページ情報に基づいて対応するコンテンツを出力する。
【０１１１】
図４は上述の携帯端末３０におけるページ情報の表示例を示す説明図である。携帯端末３０を電子広告出力装置２０の端末情報読み書き手段２３１にかざすことにより、携帯端末３０の広告出力手段３０４は、携帯端末３０を電子広告出力装置２０にかざしたときに電子広告出力装置２０の広告出力手段２２１において出力されていた広告に関連するコンテンツ及びコンテンツに関するユーザーレビューのリンクである「新作映画○○○○試写会招待券・・・・ユーザーレビュー」を表示する。
【０１１２】
さらに、携帯端末３０の広告出力手段３０４は、携帯端末３０を電子広告出力装置２０にかざしたときの前後に電子広告出力装置２０の広告出力手段２２１において出力されていた広告に関連するコンテンツ及びコンテンツに関するユーザーレビューのリンクである「そうだ、○△へ行こう  ２泊３日  ２９，８００円・・・・ユーザーレビュー」、「英語が話せる。無料体験レッスン実施中・・・・ユーザーレビュー」、「○×ビールＺリーグジャンパープレゼント・・・・ユーザーレビュー」、「おすすめドラマ○△□初回あらすじ・・・・ユーザーレビュー」、「超大作ゲーム×△○購入予約受付・・・・ユーザーレビュー」、・・・といったリンクを表示する。
【０１１３】
加えて、携帯端末３０の広告出力手段３０４は、電子広告出力装置２０の設置場所に関連するコンテンツ及びコンテンツに関するユーザーレビューのリンクである、「和牛Ａ５半額セール・・・・ユーザーレビュー」、「円高差益還元スペシャルセール・・・・ユーザーレビュー」といったリンクを表示する。
【０１１４】
そのため、携帯端末３０のユーザは、携帯端末３０を広告出力装置２０にかざした際に見ていた広告に関するコンテンツをその携帯端末を介して取得することができる。
【０１１５】
また、携帯端末３０のユーザは、携帯端末３０を電子広告出力装置２０にかざした際に見ていた広告の前後の広告に関するコンテンツをその携帯端末を介して取得することができる。
【０１１６】
図８は、本発明の好適な実施形態の一例に係る広告配信システム１におけるコンテンツ（広告）配信処理２の流れを示すフローチャートである。
【０１１７】
広告配信システム１は、携帯端末３０の端末識別情報としてＡＡＡを有する携帯端末３０、広告配信装置１０の広告配信手段１０１のアドレスのＵＲＬとして、ｈｔｔｐ：／／ａｂｃ．ｈｔｍを有する広告配信装置１０及び企業サーバ４０（以下、広告主（企業）サーバ４０）を含む。ステップＳ３２１においては、携帯端末３０のページ要求手段３０３は、ユーザが携帯端末３０の広告出力手段３０４に表示されたリンクを選択することにより、ページ要求を広告配信装置１０に送信する。
【０１１８】
ステップＳ１２１においては、広告配信装置１０の広告配信手段１０１は、ページ要求を受信して、携帯端末３０において選択されたリンクを、携帯端末３０の端末識別情報及びユーザ識別情報と関連付けて、ユーザ属性ＤＢ１０６に記憶しておく。
【０１１９】
図１０を参照して上述のユーザ属性ＤＢ１０６について説明する。図１０は、ユーザ属性ＤＢ１０６において、ユーザ識別情報に関連付けて記憶する端末識別情報、選択リンク及び日時を示す表である。ユーザ属性ＤＢ１０６は、予め携帯端末３０のユーザに関連付けられたＩＤであるユーザ識別情報を記憶しておく。具体的には、例えば、会員ＤＢ等、端末識別情報（例えば、端末ＩＤ、電話番号等）と共に記憶している情報により、端末識別情報とユーザ識別情報を関連付ける。
【０１２０】
ここでは、ユーザ属性情報は、ａａａ、ｂｂｂ、・・・と記憶している。さらに、ユーザ属性ＤＢ１０６は、携帯端末３０の端末識別情報をユーザ識別情報に関連付けて記憶しておく。ここでは、携帯端末３０の端末識別情報は、ＡＡＡ、ＢＢＢ、・・・とユーザ識別情報に関連付けて記憶している。
【０１２１】
さらに、ユーザ属性ＤＢ１０６は、ユーザの性別、年齢、・・・等の個人情報をユーザ識別情報に関連付けて記憶しておく。ここでは、性別は、男、女、・・・と、年齢は、２３、３５、・・・とユーザ識別情報に関連付けて記憶している。さらに、ユーザ属性ＤＢ１０６は、携帯端末３０において選択されたリンクを、携帯端末３０の端末識別情報及びユーザ識別情報に関連付けて記憶しておく。ここでは、選択リンクは、ｈｔｔｐ：／／０１２３−６．ｈｔｍ、ｈｔｔｐ：／／０１２３−６．ｈｔｍ、・・・と端末識別情報及びユーザ識別情報に関連付けて記憶している。
【０１２２】
さらに、ユーザ属性ＤＢ１０６は、携帯端末３０においてリンクを選択された時刻を日時として端末識別情報及びユーザ識別情報に関連付けて記憶しておく。ここでは、ユーザ識別情報がａａａであり、端末識別情報がＡＡＡである携帯端末３０において、選択リンクであるｈｔｔｐ：／／０１２３−６．ｈｔｍを２００８年４月２０日の１２時１９分２３秒に選択したことを記憶し、また、ユーザ識別情報がｂｂｂであり、端末識別情報がＢＢＢである携帯端末３０において、選択リンクであるｈｔｔｐ：／／０１２３−６．ｈｔｍを２００８年４月２０日の１２時２４分２６秒に選択したことを記憶している。
【０１２３】
ステップＳ１２２においては、広告配信装置１０の広告配信手段１０１は、携帯端末３０に受信したページ要求に応じたページ情報を送信する。ステップＳ３２２においては、携帯端末３０の広告出力手段３０４は、受信したページ要求に応じたページ情報を表示する。ステップＳ３２３においては、携帯端末３０のページ要求手段３０３は、携帯端末３０の広告出力手段３０４において表示したページ上の広告主（企業）サーバ４０のリンクをユーザが選択したことに応じて、広告配信装置１０の広告配信手段１０１にページ要求を送信する。
【０１２４】
ステップＳ１２３においては、広告配信装置１０の広告配信手段１０１は、ステップＳ１２１のときと同じく、ページ要求を受信して、携帯端末３０において選択されたリンクを、携帯端末３０の端末識別情報及びユーザ識別情報と関連付けて、ユーザ属性ＤＢ１０６にさらに記憶しておく。ステップＳ１２４においては、広告配信装置１０の広告配信手段１０１は、広告主（企業）サーバ４０にページ要求をリダイレクトする。ここで、広告配信装置１０の広告配信手段１０１は、携帯端末３０においてリンクが選択された旨を記憶すると共に、携帯端末３０は、直接広告主（企業）サーバ４０にページ要求を送信してもよい。ステップＳ４２１においては、広告主（企業）サーバ４０は、受信したページ要求に応じたページ情報を携帯端末３０に送信する。ステップＳ３２４においては、携帯端末３０は、受信したページ情報を広告出力手段３０４に表示する。
【０１２５】
このように、広告配信装置１０の広告配信手段１０１は、コンテンツへのリンク情報を含むページ情報を送信する。そのため、リンクの選択によるログ情報をさらに得ることが可能となる。
【０１２６】
図１１は、本発明の好適な実施形態の一例に係る広告配信システム１における電子広告入札処理の流れを示すフローチャートである。
【０１２７】
広告配信システム１は、広告配信装置１０の広告配信手段１０１のアドレスのＵＲＬとして、ｈｔｔｐ：／／ａｂｃ．ｈｔｍを有する広告配信装置１０及び広告入札希望者の端末６０（以下、入札希望端末６０）を含む。
【０１２８】
ステップＳ６３１においては、入札希望端末６０は、電子広告出力装置２０の属性情報を指定して入札希望端末６０の入札希望情報送信手段６０１より広告配信装置１０の入札可能広告枠情報配信手段１０２に送信する。
【０１２９】
ステップＳ１３１においては、広告配信装置１０の入札可能広告枠情報配信手段１０２は、受信した属性情報を用いて電子広告出力装置属性ＤＢ１０５を検索する。さらに、広告配信装置１０の入札可能広告枠情報配信手段１０２は、検索して得られた受信した属性情報を有する電子広告出力装置２０の端末識別情報を用いて広告出力予定ＤＢ１０４を検索する。そして、広告配信装置１０の入札可能広告枠情報配信手段１０２は、検索して得られた受信した属性情報を有する電子広告出力装置２０の広告予定の空き日時を入札希望端末６０の入札可能広告枠情報出力手段６０２に送信する。
【０１３０】
図９を参照して、電子広告出力装置２０の電子広告出力装置属性ＤＢ１０５について説明する。図９は電子広告出力装置２０の識別情報（ＩＤ）に関連付けて記憶しておく設置場所、かざした携帯端末の識別情報及び日時を示す表である。
【０１３１】
ここで、例えば、ステップＳ１３１において、入札希望端末６０においてユーザが東京都○○区△□店おもちゃ売場Ａに設置されていることを属性情報として検索すると、設置場所が東京都○○区△□店おもちゃ売場Ａである電子広告出力装置２０の端末識別情報を示す電子広告出力装置の識別情報（ＩＤ）がＸＹＺである電子広告出力装置２０が得られる。
【０１３２】
図１２を参照して、広告出力予定ＤＢ１０４について説明する。図１２は、広告出力予定ＤＢ１０４として、電子広告出力装置２０の端末識別情報を示す電子広告出力装置の識別情報（ＩＤ）毎に、出力予定日時に関連付けて、広告ＩＤを記憶しておく表である。この例では、電子広告出力装置２０の端末識別情報がＸＹＺである例を示している。
【０１３３】
ここで、日時は、電子広告出力装置の識別情報（ＩＤ）がＸＹＺである電子広告出力装置２０において一の広告情報の出力されている時間を示し、広告ＩＤは、一の広告情報に関連付けられた広告ＩＤを示す。図１２を参照すると、広告出力予定ＤＢ１０４において広告ＩＤが記憶されていない時間は２００８年４月２０日の１７時００分００秒〜２００８年４月２０日の１７時３０分００秒である。そのため、ステップＳ１３１においては、広告配信装置１０の入札可能広告枠情報配信手段１０２は、空き日時である２００８年４月２０日の１７時００分００秒〜２００８年４月２０日の１７時３０分００秒を入札枠として入札希望端末６０の入札可能広告枠情報出力手段６０２に送信する。
【０１３４】
ステップＳ６３２においては、入札希望端末６０は、受信した広告出力予定から入札する広告枠を選択する。ここでは、受信した入札枠である２００８年４月２０日の１７時００分００秒〜２００８年４月２０日の１７時３０分００秒を選択して入札枠情報を入札希望端末６０の入札可能広告枠情報出力手段６０２から広告配信装置１０の広告配信手段１０１に送信する。
【０１３５】
ステップＳ１３２においては、広告配信装置１０は、受信した入札枠情報に応じて選択された入札枠において入札を受け付ける。
【０１３６】
そのため、広告配信装置１０の入札可能広告枠情報配信手段１０２は、電子広告出力装置２０の属性情報を入札希望端末６０の入札希望情報送信手段６０１より受信して受信した属性往訪に応じた入札枠を入札可能広告枠情報出力手段６０２に送信することができる。したがって、入札希望端末６０のユーザは、電子広告出力装置２０を選択して、広告を入札することができる。
【０１３７】
図１３は、本発明の好適な実施形態の一例に係る広告配信装置１０、携帯端末３０、広告主（企業）サーバ４０及び入札希望端末６０のハードウェア構成図である。
【０１３８】
広告配信装置１０、携帯端末３０、広告主（企業）サーバ４０及び入札希望端末６０は、広告配信装置１０、携帯端末３０、広告主（企業）サーバ４０及び入札希望端末６０が機能するための各種プログラム及び本発明の機能を実行するプログラムを実行する制御部１１０、３１０、４１０、６１０を備える。
【０１３９】
また、広告配信装置１０、携帯端末３０、広告主（企業）サーバ４０及び入札希望端末６０は、広告配信装置１０、携帯端末３０、広告主（企業）サーバ４０及び入札希望端末６０が機能するための各種プログラム及び本発明の機能を実行するプログラムを記憶する記憶部１２０、３２０、４２０、６２０を備える。
【０１４０】
また、広告配信装置１０、携帯端末３０、広告主（企業）サーバ４０及び入札希望端末６０は、広告配信装置１０、携帯端末３０、広告主（企業）サーバ４０及び入札希望端末６０が専用ネットワーク又は公共ネットワークを介して通信回線と通信可能に接続できるようにするためのネットワーク・アダプタである通信Ｉ／Ｆ部１３０、３３０、４３０、６３０を備える。通信Ｉ／Ｆ部１３０、３３０、４３０、６３０は、例えば、携帯インターネット通信インターフェイス、赤外線通信インターフェイス、シリアルバスインターフェイス、モデム、ケーブル・モデム及びイーサネット（登録商標）・アダプタを含む有線及び無線による通信可能な通信回線であってよい。
【０１４１】
また、広告配信装置１０、携帯端末３０、広告主（企業）サーバ４０及び入札希望端末６０は、ユーザによる入力を受け付ける入力部１４０、３４０、４４０、６４０を備える。入力部１４０、３４０、４４０、６４０は、キー及びポインティングデバイス等により構成してよい。
【０１４２】
また、広告配信装置１０、携帯端末３０、広告主（企業）サーバ４０及び入札希望端末６０は、表示部１５０、３５０、４５０、６５０を備える。表示部１５０、３５０、４５０、６５０は、ユーザにデータの入力を受付ける画面を表示したり、携帯端末３０による演算処理結果の画面を表示したりするものであり、液晶表示装置（ＬＣＤ）、有機ＥＬディスプレイ等のディスプレイ装置を含む。
【０１４３】
また、広告配信装置１０、携帯端末３０、広告主（企業）サーバ４０及び入札希望端末６０は、バスライン１６０、３６０、４６０、６６０を備える。バスライン１６０、３６０、４６０、６６０は、上述の制御部１１０、３１０、４１０、６１０と、記憶部１２０、３２０、４２０、６２０と、通信Ｉ／Ｆ部１３０、３３０、４３０、６３０と、入力部１４０、３４０、４４０、６４０と、表示部１５０、３５０、４５０、６５０と、を通信可能に接続する。
【０１４４】
図１４は、本発明の好適な実施形態の一例に係る電子広告出力装置２０のハードウェア構成図である。
【０１４５】
電子広告出力装置２０は、電子広告出力装置２０が機能するための各種プログラム及び本発明の機能を実行するプログラムを実行する制御部２１０と、電子広告出力装置２０が機能するための各種プログラム及び本発明の機能を実行するプログラムを記憶する記憶部２２０と、電子広告出力装置２０が専用ネットワーク又は公共ネットワークを介して通信回線と通信可能に接続できるようにするためのネットワーク・アダプタである通信Ｉ／Ｆ部２３０と、を備える。通信Ｉ／Ｆ部２３０は、例えば、携帯インターネット通信インターフェイス、赤外線通信インターフェイス、シリアルバスインターフェイス、モデム、ケーブル・モデム及びイーサネット（登録商標）・アダプタを含む有線及び無線による通信可能な通信回線であってよい。
【０１４６】
また、電子広告出力装置２０は、ユーザによる入力を受け付ける入力部２４０を備える。入力部２４０は、キー及びポインティングデバイス等により構成してよい。
【０１４７】
また、電子広告出力装置２０は、ユーザに広告情報を表示する表示部２５０を備える。表示部２５０は、液晶表示装置（ＬＣＤ）、有機ＥＬディスプレイ、プラズマディスプレイ、ブラウン管（ＣＲＴ）等のディスプレイ装置を含む。
【０１４８】
また、電子広告出力装置２０は、バスライン２６０を備える。バスライン２６０は、上述の制御部２１０と、記憶部２２０と、通信Ｉ／Ｆ部２３０と、入力部２４０と、表示部２５０と、を通信可能に接続する。
【０１４９】
また、電子広告出力装置２０は、携帯端末３０をかざすことにより端末情報を読み書き可能な端末情報読み書き部２７０を備える。端末情報読み書き部２７０は、例えば、非接触ＩＣカードリーダ／ライタであってよく、非接触ＩＣカードリーダ／ライタ付きの携帯端末やＰＤＡと通信可能に構成されてよい。
【符号の説明】
【０１５０】
１０  広告配信装置
２０  電子広告出力装置
３０  端末識別情報を含む端末
４０  企業サーバ
５０  通信ネットワーク
６０  広告入札希望者の端末
１０１  広告配信手段
２３１  端末情報読み書き手段
【図１】
2013118017.tif 000003
【図２】
2013118017.tif 000004
【図３】
2013118017.tif 000005
【図４】
2013118017.tif 000006
【図５】
2013118017.tif 000007
【図６】
2013118017.tif 000008
【図７】
2013118017.tif 000009
【図８】
2013118017.tif 000010
【図９】
2013118017.tif 000011
【図１０】
2013118017.tif 000012
【図１１】
2013118017.tif 000013
【図１２】
2013118017.tif 000014
【図１３】
2013118017.tif 000015
【図１４】
2013118017.tif 000016